【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】  ID所有者の身分確認方法であって、
品物およびサービスの１つのプロバイダーによって第１のネットワークへ送信された、前記ID所有者に関する識別データを、この第１のネットワークを通して中央スイッチの中に受信するステップと、
前記中央スイッチが、前記識別データを使用して、許可要求メッセージを生成するステップと、
前記中央スイッチから第２のネットワークを通してID発行人へ前記許可要求メッセージを送信するステップと、
前記ID発行人から前記第２のネットワークを通して前記中央スイッチの中に、前記許可要求メッセージに応答して前記ID発行人により生成された許可応答メッセージを受信するステップと、
前記中央スイッチが、前記許可応答メッセージを使用して、出力メッセージを生成するステップと、
前記中央スイッチから前記第１のネットワークを通して前記プロバイダーに前記出力メッセージを送信するステップと、
を含む身分確認方法。
【請求項２】  請求項１に記載のID所有者の身分確認方法において、
前記識別データが暗号化操作の結果を含む、
ことを特徴とする身分確認方法。
【請求項３】  請求項２に記載のID所有者の身分確認方法において、
前記暗号化操作の結果は、EMVでフォーマットされた暗号文である、
ことを特徴とする身分確認方法。
【請求項４】  請求項２に記載のID所有者の身分確認方法において、
前記暗号化操作は、
本質的な（essentially）乱数を生成するステップと、
前記本質的な乱数を使用して前記暗号化操作の結果を生成するステップと、を含む、
ことを特徴とする身分確認方法。
【請求項５】  請求項２に記載のID所有者の身分確認方法において、
前記暗号化操作は、
安全な電子トランザクション暗号操作と、EMVチップカード暗号操作とのうちの少なくとも１つを含む、
ことを特徴とする身分確認方法。
【請求項６】  請求項１に記載のID所有者の身分確認方法において、
前記許可応答メッセージは、前記暗号化操作の結果を含む
ことを特徴とする身分確認方法。
【請求項７】  請求項６に記載のID所有者の身分確認方法において、
前記暗号化操作の結果は、許可応答暗号文を含む、
ことを特徴とする身分確認方法。
【請求項８】  請求項１に記載のID所有者の身分確認方法において、
さらに、デジタルIDを前記ID所有者に発行するステップをも含み、
前記識別データは、前記デジタルIDにより生成される、
ことを特徴とする身分確認方法。
【請求項９】  請求項１に記載のID所有者の身分確認方法において、
前記第２のネットワークは、国際的なネットワークを含む、
ことを特徴とする身分確認方法。
【請求項１０】  請求項１に記載のID所有者の身分確認方法において、
前記第２のネットワークは、信頼されているネットワークを含む、
ことを特徴とする身分確認方法。
【請求項１１】  請求項１に記載のID所有者の身分確認方法において、
前記中央スイッチは、安全な電子トランザクションゲートウェイを含む、
ことを特徴とする身分確認方法。
【請求項１２】  請求項１に記載のID所有者の身分確認方法において、
前記許可応答メッセージは、許可表示および拒否表示のうちの少なくとも１つを含む
ことを特徴とする身分確認方法。
【請求項１３】  請求項１に記載のID所有者の身分確認方法において、
前記許可応答メッセージは、前記ID所有者についての情報を含む、
ことを特徴とする身分確認方法。
【請求項１４】  請求項１３に記載のID所有者の身分確認方法において、
前記ID所有者についての情報は、人口統計的なデータおよび決済履歴データのうちの少なくとも１つを含む
ことを特徴とする身分確認方法。
【請求項１５】  請求項１に記載のID所有者の身分確認方法において、
前記許可応答メッセージは、前記ID所有者がウェブサイトにアクセスすることが可能になるのに適したパスワードを含む、
ことを特徴とする身分確認方法。
【請求項１６】  請求項１に記載のID所有者の身分確認方法において、
前記方法は、さらに、物理チップカードおよび仮想チップのうちの１つを前記ID所有者に発行するステップをも含み、
前記識別データは、前記物理チップカードおよび仮想チップのうちの１つによって生成される、
ことを特徴とする身分確認方法。
【請求項１７】  請求項１６に記載のID所有者の身分確認方法において、
さらに、前記プロバイダーからのトランザクション関連メッセージを前記物理チップカードおよび仮想チップカードの１つへ送信するステップをも含む、
ことを特徴とする身分確認方法。
【請求項１８】  請求項１６に記載のID所有者の身分確認方法において、
前記物理チップカードおよび仮想チップカードの１つは、少なくとも１つのアプリケーションを含む、
ことを特徴とする身分確認方法。
【請求項１９】  請求項１６に記載のID所有者の身分確認方法において、
前記方法は、
前記ID所有者にデジタルID口座番号を割り振るステップをも含み、
前記デジタルID口座番号は、前記物理チップカードおよび仮想チップカードの１つの中に格納されている、
ことを特徴とする身分確認方法。
【請求項２０】  請求項１に記載のID所有者の身分確認方法において、
さらに、前記出力メッセージを使用して前記ID所有者へサービスを提供するか否かを判断するステップをも含む、
ことを特徴とする身分確認方法。
【請求項２１】  請求項１に記載のID所有者の身分確認方法において、
前記識別データは、決済額フィールドを含む、
ことを特徴とする身分確認方法。
【請求項２２】  請求項２１に記載のID所有者の身分確認方法において、
前記許可応答メッセージは、前記許可要求メッセージに基づく認証操作の実行によって生成され、
前記決済額フィールドは、選択された額に設定され、
前記認証操作は、
前記選択された額に相当する値を持つ決済トランザクションを許可するか否かを判断するステップを含む、
ことを特徴とする身分確認方法。
【請求項２３】  請求項２２に記載のID所有者の身分確認方法において、
前記選択された額はゼロである。
ことを特徴とする身分確認方法。
【請求項２４】  請求項１に記載のID所有者の身分確認方法において、
前記識別データは、有効レベル額フィールドを含む、
ことを特徴とする身分確認方法。
【請求項２５】  請求項２４に記載のID所有者の身分確認方法において、
前記許可応答メッセージが、前記許可要求メッセージに基づく認証操作の実行によって生成され、
前記有効レベル額フィールドは、選択されたレベルに設定され、
前記認証操作は、前記選択されたレベルに相当する値で前記ID所有者の前記身分が有効であるか否かを判断するステップを含む、
ことを特徴とする身分確認方法。
【請求項２６】  請求項１に記載のID所有者の身分確認方法において、
前記許可応答メッセージが、前記許可要求メッセージに基づく認証操作の実行によって生成され、
前記方法は、さらに、
前記識別データ、前記許可要求メッセージ、前記認証操作、前記許可応答メッセージ、および、前記出力メッセージのうちの少なくとも１つに関連するトランザクションデータを格納するステップをも含む、
ことを特徴とする身分確認方法。
【請求項２７】  請求項２６に記載のID所有者の身分確認方法において、
前記トランザクションデータは、暗号トランザクション証明書を含み、
前記方法は、さらに、
前記ID所有者と共有されている秘密データを格納するステップと、
前記秘密データを使用して前記暗号トランザクション証明書を生成するステップと、を含む
ことを特徴とする身分確認方法。
【請求項２８】  請求項２７に記載のID所有者の身分確認方法において、
さらに、前記暗号トランザクション証明書を決済トランザクションデータに組み込むステップと、
前記決済トランザクションデータを使用して決済を開始するステップと、をも含む、
ことを特徴とする身分確認方法。
【請求項２９】  請求項１に記載のID所有者の身分確認方法において、
前記許可要求メッセージは、0100チップフォーマットを持つ、
ことを特徴とする身分確認方法。
【請求項３０】  請求項１に記載のID所有者の身分確認方法において、
前記許可応答メッセージは、0110フォーマットを持つ、
ことを特徴とする身分確認方法。
【請求項３１】  請求項１に記載のID所有者の身分確認方法において、
前記出力メッセージは、EMVフォーマットを持つ、
ことを特徴とする身分確認方法。
【請求項３２】  請求項１に記載のID所有者の身分確認方法において、
前記プロバイダーから料金を収集するステップと、
少なくとも１つのID発行人に対して前記料金のうちの少なくとの１つの取り分を配分するステップと、を含む
ことを特徴とする身分確認方法。
【請求項３３】  請求項１に記載のID所有者の身分確認方法において、
前記識別データは、決済口座番号を含まない、
ことを特徴とする身分確認方法。
【請求項３４】  請求項１に記載のID所有者の身分確認方法において、
さらに、前記ID所有者と共有された秘密データを格納するステップと、
前記ID発行人により、前記許可要求メッセージを受信するステップと、
前記ID発行人により、前記秘密データを使用して、前記許可要求メッセージに基づく認証操作を実行し、これにより、前記許可応答メッセージを生成するステップと、および、
前記ID発行人により、前記許可応答メッセージを前記第２のネットワークを介して前記中央スイッチへ送信するステップと、をも含む、
ことを特徴とする身分確認方法。
【請求項３５】  請求項３４に記載のID所有者の身分確認方法において、
前記識別データは、第１の暗号化操作の結果を含み、
前記許可応答メッセージは、第２の暗号化操作の結果を含み、
前記第１のネットワークは、国際的なネットワークを含み、
前記第２のネットワークは、信頼されているネットワークを含み、
前記中央スイッチは、安全な電子トランザクションゲートウェイを含み、
前記許可応答メッセージは、許可表示および拒否表示のうちの少なくとも１つを含み、
前記許可応答メッセージは、前記ID所有者についての情報を含み、
前記許可応答メッセージは、前記ID所有者がウェブサイトにアクセスすることが可能になるのに適したパスワードを含む、
前記識別データは、決済額フィールドおよび有効レベル額フィールドのうちの少なくとも１つを含み、
前記許可要求メッセージは、0100チップフォーマットを持ち、
前記許可応答メッセージは、0110フォーマットを持ち、
前記出力応答メッセージは、EMVフォーマットを持ち、
前記識別データは、決済口座番号を含まないものであり、
前記方法は、さらに、
デジタルIDを前記ID所有者に発行するステップをも含み、前記識別データは、前記デジタルIDにより生成され、
前記方法は、さらに、
前記出力メッセージを使用して、前記ID所有者にサービスを提供するか否かを判断するステップと、
前記秘密データを使用して、暗号トランザクション証明書を生成するステップと、
前記識別データ、前記許可要求メッセージ、前記認証操作、前記許可応答メッセージ、前記出力メッセージ、前記トランザクション証明書を含む前記トランザクションデータのうちの少なくとも１つに関連するトランザクションデータを格納するステップと、
前記トランザクション証明書を決済トランザクションデータに組み込むステップと、
前記決済トランザクションデータを使用して、決済を開始するステップと、
前記プロバイダーから料金を収集するステップと、および、
ID発行人の少なくとも１人へ前記料金の取り分のうちの少なくとも1つを分配するステップと、をも含む、
ことを特徴とする身分確認方法。
【請求項３６】  ID所有者の身分確認方法であって、
品物およびサービスの１つのプロバイダーによって第１のネットワークへ送信された、前記ID所有者に関する識別データを、第１のネットワークを通して受信するステップと、
前記識別データを使用して、許可要求メッセージを生成するステップと、
第２のネットワークを通してID発行人へ、前記許可要求メッセージを送信するステップと、
前記許可要求メッセージに応答して前記ID発行人により生成された許可応答メッセージを、前記ID発行人から前記第２のネットワークを通して受信するステップと、
前記許可応答メッセージを使用して、出力メッセージを生成するステップと、
前記第１のネットワークを通して前記プロバイダーへ前記出力メッセージを送信するステップと、
を含むID所有者の身分確認方法。
【請求項３７】  請求項３６に記載のID所有者の身分確認方法において、
前記識別データは、暗号化操作の結果を含む、
ことを特徴とする身分確認方法。
【請求項３８】  請求項３６に記載のID所有者の身分確認方法において、
前記許可応答メッセージは、暗号化操作の結果を含む、
ことを特徴とする身分確認方法。
【請求項３９】  請求項３６に記載のID所有者の身分確認方法において、
デジタルIDを前記ID所有者に発行するステップをも含み、
前記識別データは、前記デジタルIDにより生成される、
ことを特徴とする身分確認方法。
【請求項４０】  請求項３６に記載のID所有者の身分確認方法において、
前記第１のネットワークは、国際的なネットワークを含む、
ことを特徴とする身分確認方法。
【請求項４１】  請求項３６に記載のID所有者の身分確認方法において、
前記第２のネットワークは、信頼されているネットワークを含む、
ことを特徴とする身分確認方法。
【請求項４２】  請求項３６に記載のID所有者の身分確認方法において、
前記識別データを受信するステップ、前記識別データを使用して許可要求メッセージを生成するステップと、前記許可要求メッセージを送信する送出ステップと、前記許可応答メッセージを受信するステップと、前記許可応答メッセージを使用して出力メッセージを生成するステップと、前記出力メッセージを送信する送出ステップと、のうちの少なくとも１つのステップが、安全な電子トランザクションゲートウェイを使用して実行される、
ことを特徴とする身分確認方法。
【請求項４３】  請求項３６に記載のID所有者の身分確認方法において、
前記許可応答メッセージは、許可表示および拒否表示のうちの少なくとも１つを含む、
ことを特徴とする身分確認方法。
【請求項４４】  請求項３６に記載のID所有者の身分確認方法において、
前記許可応答メッセージは、前記ID所有者に関する情報を含む、
ことを特徴とする身分確認方法。
【請求項４５】  請求項３６に記載のID所有者の身分確認方法において、
前記許可応答メッセージは、前記ID所有者がウェブサイトにアクセスすることが可能になるのに適したパスワードを含む、
ことを特徴とする身分確認方法。
【請求項４６】  請求項３６に記載のID所有者の身分確認方法において、
前記方法は、さらに、物理チップカードおよび仮想チップのうちの１つを前記ID所有者に発行するステップをも含み、
前記識別データは、前記物理チップカードおよび仮想チップのうちの１つによって生成される、
ことを特徴とする身分確認方法。
【請求項４７】  請求項３６に記載のID所有者の身分確認方法において、
さらに、前記出力メッセージを使用して、前記ID所有者へサービスを提供するか否かを判断するステップをも含む、
ことを特徴とする身分確認方法。
【請求項４８】  請求項３６に記載のID所有者の身分確認方法において、
前記識別データは、決済額フィールドを含む、
ことを特徴とする身分確認方法。
【請求項４９】  請求項３６に記載のID所有者の身分確認方法において、
前記識別データは、有効レベル額フィールドを含む、
ことを特徴とする身分確認方法。
【請求項５０】  請求項３６に記載のID所有者の身分確認方法において、
前記許可応答メッセージは、前記許可要求メッセージに基づく認証操作の実行によって生成され、
前記方法は、さらに、
前記識別データ、前記許可要求データ、前記認証操作、前記許可応答メッセージ、および前記出力メッセージのうちの少なくとも１つに関連したトランザクションデータを格納するステップをも含む、
ことを特徴とする身分確認方法。
【請求項５１】  請求項５０に記載のID所有者の身分確認方法において、
前記トランザクションデータは、暗号トランザクション証明書を含み、
前記方法は、さらに、
前記ID所有者と共有されている秘密データを格納するステップと、
前記秘密データを使用して前記暗号トランザクション証明書を生成するステップと、を含む
ことを特徴とする身分確認方法。
【請求項５２】  請求項５１に記載のID所有者の身分確認方法において、
さらに、前記暗号トランザクション証明書を決済トランザクションデータに組み込むステップと、
前記決済トランザクションデータを使用して決済を開始するステップと、をも含む、
ことを特徴とする身分確認方法。
【請求項５３】  請求項３６に記載のID所有者の身分確認方法において、
前記許可要求メッセージは、0100チップフォーマットを持つ、
ことを特徴とする身分確認方法。
【請求項５４】  請求項３６に記載のID所有者の身分確認方法において、
前記許可応答メッセージは、0110フォーマットを持つ、
ことを特徴とする身分確認方法。
【請求項５５】  請求項３６に記載のID所有者の身分確認方法において、
前記出力応答メッセージは、EMVフォーマットを持つ、
ことを特徴とする身分確認方法。
【請求項５６】  請求項３６に記載のID所有者の身分確認方法において、
前記プロバイダーから料金を収集するステップと、
少なくとも１つのID発行人に対して前記料金のうちの少なくとの１つの取り分を配分するステップと、を含む
ことを特徴とする身分確認方法。
【請求項５７】  請求項３６に記載のID所有者の身分確認方法において、
前記識別データは、決済口座番号を含まない、
ことを特徴とする身分確認方法。
【請求項５８】  請求項３６に記載のID所有者の身分確認方法において、
さらに、前記ID所有者と共有された秘密データを格納するステップと、
前記第２のネットワークによって、前記許可要求メッセージを受信するステップと、
前記秘密データを使用して、前記許可応答メッセージに基づく認証操作を実行し、これにより、前記許可応答メッセージを生成するステップと、
前記許可応答メッセージを、前記第２のネットワークから送信するステップと、をも含む、
ことを特徴とする身分確認方法。
【請求項５９】  ID所有者の身分確認システムであって、
品物およびサービスの１つのプロバイダーによって第１のネットワークの中に送信された前記ID所有者に関する識別データを、この第１のネットワークを通して受信する第１の中央スイッチ部と、
前記識別データを使用して、許可要求メッセージを生成する第２の中央スイッチ部と、
第２のネットワークを通してID発行人へ前記許可要求メッセージを送信する第３の中央スイッチ部と、
前記許可要求メッセージに応答して前記ID発行人により生成された許可応答メッセージを、前記ID発行人から前記第２のネットワークを通して受信する第４の中央スイッチ部と、
前記許可応答メッセージを使用して、出力メッセージを生成する第５の中央スイッチ部と、
前記第１のネットワークを通して前記プロバイダーへ前記出力メッセージを送信する第６の中央スイッチ部と、
を含む身分確認システム。
【請求項６０】  請求項５９に記載のID所有者の身分確認システムにおいて、
前記識別データは、暗号化操作の結果を含む、
ことを特徴とする身分確認システム。
【請求項６１】  請求項５９に記載のID所有者の身分確認システムにおいて、
前記許可応答メッセージは、暗号化操作の結果を含む、
ことを特徴とする身分確認システム。
【請求項６２】  請求項５９に記載のID所有者の身分確認システムにおいて、
前記識別データは、前記ID所有者に対して発行されたデジタルIDによって生成される、
ことを特徴とする身分確認システム。
【請求項６３】  請求項５９に記載のID所有者の身分確認システムにおいて、
前記第１のネットワークは、国際的なネットワークを含む、
ことを特徴とする身分確認システム。
【請求項６４】  請求項５９に記載のID所有者の身分確認システムにおいて、
前記第２のネットワークは、信頼されているネットワークを含む、
ことを特徴とする身分確認システム。
【請求項６５】  請求項５９に記載のID所有者の身分確認システムにおいて、
前記の第１、第２、第３、第４、第５および第６の中央スイッチ部は、安全な電子トランザクションゲートウェイに含まれる、
ことを特徴とする身分確認システム。
【請求項６６】  請求項５９に記載のID所有者の身分確認システムにおいて、
前記応答メッセージは、許可表示および拒否表示のうちの少なくとも１つを含む、
ことを特徴とする身分確認システム。
【請求項６７】  請求項５９に記載のID所有者の身分確認システムにおいて、
前記許可応答メッセージは、前記ID所有者に関する情報を含む、
ことを特徴とする身分確認システム。
【請求項６８】  請求項５９に記載のID所有者の身分確認システムにおいて、
前記前記ID所有者がウェブサイトにアクセスすることが可能になるのに適したパスワードを含む、
ことを特徴とする身分確認システム。
【請求項６９】  請求項５９に記載のID所有者の身分確認システムにおいて、
前記識別データは、
（a）前記ID所有者に対して発行された物理チップカード、および、（ｂ）前記ID所有者に対して発行された仮想チップ、のうちの１つによって生成される、
ことを特徴とする身分確認システム。
【請求項７０】  請求項５９に記載のID所有者の身分確認システムにおいて、
前記出力メッセージは、
前記ID所有者にサービスを提供するか否かを前記プロバイダーが判断し得ることに作用可能である、
ことを特徴とする身分確認システム。
【請求項７１】  請求項５９に記載のID所有者の身分確認システムにおいて、
前記識別データは、決済額フィールドを含む
ことを特徴とする身分確認システム。
【請求項７２】  請求項５９に記載のID所有者の身分確認システムにおいて、
前記識別データは、有効レベル額フィールドを含む、
ことを特徴とする身分確認システム。
【請求項７３】  請求項５９に記載のID所有者の身分確認システムにおいて、
前記許可応答メッセージは、
前記許可要求メッセージに基づき実行された認証操作の結果を含み、
前記システムは、さらに、
前記識別データ、前記許可要求メッセージ、前記認証操作、前記許可応答メッセージ、および前記出力メッセージのうちの少なくとも１つに関連するトランザクションデータを格納するトランザクション記録部を含む、
ことを特徴とする身分確認システム。
【請求項７４】  請求項７３に記載のID所有者の身分確認システムにおいて、
前記トランザクションデータは、暗号トランザクション証明書を含む、
ことを特徴とする身分確認システム。
【請求項７５】  請求項７４に記載のID所有者の身分確認システムにおいて、
前記暗号トランザクション証明書を決済トランザクションデータに組み込む第１の決済トランザクション部と、
前記決済トランザクションデータを使用して決済を開始する第２の決済トランザクション部と、
をも含むことを特徴とする身分確認システム。
【請求項７６】  請求項５９に記載のID所有者の身分確認システムにおいて、
前記許可要求メッセージは、0100チップフォーマットを持つ、
ことを特徴とする身分確認システム。
【請求項７７】  請求項５９に記載のID所有者の身分確認システムにおいて、
前記許可応答メッセージは、0110フォーマットを持つ、
ことを特徴とする身分確認システム。
【請求項７８】  請求項５９に記載のID所有者の身分確認システムにおいて、
前記出力メッセージは、EMVフォーマットを持つ、
ことを特徴とする身分確認システム。
【請求項７９】  請求項５９に記載のID所有者の身分確認システムにおいて、
前記プロバイダーから料金を収集する第７の中央スイッチ部と、
少なくとも１つのID発行器に対して前記料金の少なくとも１つの取り分を分配する第８の中央スイッチ部と、
をも含むことを特徴とする身分確認システム。
【請求項８０】  請求項５９に記載のID所有者の身分確認システムにおいて、
前記識別データは、決済口座番号を含む、
ことを特徴とする身分確認システム。
【請求項８１】  請求項５９に記載のID所有者の身分確認システムにおいて、
前記ID所有者と共有された秘密データを格納する第１のID発行器部と、
前記許可要求メッセージを前記第２のネットワークを通して前記中央スイッチから受信する第２のID発行器部と、
前記秘密データを使用して、前記許可要求メッセージに基づく認証操作を実行し、これによって前記許可応答メッセージを生成する第３のID発行器部と、
前記許可応答メッセージを前記中央スイッチに前記第２のネットワークを通して送信する第４のID発行器部と、
をも含むことを特徴とする身分確認システム。
【請求項８２】  請求項８１に記載のID所有者の身分確認システムにおいて、
前記識別データは、第１の暗号化操作の結果を含み、
前記許可応答メッセージは、第２の暗号化操作の結果を含み、
前記第１のネットワークは、国際的なネットワークを含み、
前記第２のネットワークは、信頼されているネットワークを含み、
前記中央スイッチは、安全な電子トランザクションゲートウェイを含み、
前記許可応答メッセージは、許可表示および拒否表示のうちの少なくとも１つを含み、
前記許可応答メッセージは、前記ID所有者に関する情報を含み、
前記許可応答メッセージは、前記ID所有者がウェブサイトにアクセスすることが可能になるのに適したパスワードを含み、
前記識別データは、決済額フィールドおよび有効レベル額フィールドのうちの少なくとも１つを含み、
前記許可要求メッセージは、0100チップフォーマットを持ち、
前記許可応答メッセージは、0110フォーマットを持ち、
前記出力メッセージは、EMVフォーマットを持ち、
前記識別データは、決済口座番号を含まず、
前記識別データは、前記ID所有者に対して発行されたデジタルIDにより生成され、
前記出力メッセージは、前記ID所有者にサービスを提供するか否かを前記プロバイダーが判断し得ることに作用可能であり、
前記システムは、さらに、
前記識別データ、前記許可要求メッセージ、前記認証操作、前記許可応答メッセージ、前記出力メッセージ、および暗号トランザクション証明書を含む前記トランザクションデータのうちの少なくとも１つに関連するトランザクションデータを格納するトランザクション記録部と、
前記トランザクション証明書を決済トランザクションデータに組み込む第１の決済トランザクション部と、
前記決済トランザクションデータを使用して、決済を開始する第２の決済トランザクション部と、
前記IDプロバイダーから料金を収集する第７の中央スイッチ部と、
ID発行人の少なくとも１人へ前記料金の取り分のうちの少なくとも1つを分配する第８の中央スイッチ部とを含む、
ことを特徴とする身分確認システム。
【請求項８３】  デジタルIDの確認方法であって、
従来の決済システムを使用して、デジタルID所有者の身分確認を実行するステップを含み、
前記従来の決済システムは、第１の品物の購入を含むトランザクションの実行に作用可能であり、
さらに、前記従来の決済システムは、第１のサービスの購入を含むトランザクションの実行に作用可能であり、
前記身分確認は、前記デジタルID所有者による、何らかの品物の購入にも関連せず、さらに、何らかのサービスの購入にも関連しない、
ことを特徴とするデジタルID確認方法。
【請求項８４】  請求項８３に記載のデジタルID確認方法において、
前記デジタルID所有者の身分確認を実行するステップは、
第１のネットワークを通して前記デジタルID所有者に関連し、かつ、
選択されたゼロに相当する額に設定された支払い額フィールドを含む、第２の品物および第２のサービスのうちの１つのプロバイダーにより前記第１のネットワークへ送信された、識別データを受信するステップと、
前記識別データを使用して、許可要求メッセージを生成するステップと、
従来の決済ネットワークを通してID発行人に前記許可要求メッセージを送信するステップと、
前記ID発行人が、前記許可要求メッセージに基づき、前記選択された額に相当する値を持つ決済トランザクションを認証するか否かを判断することを含む認証操作を実行し、許可応答メッセージを生成するステップと、
前記従来の決済ネットワークを通して前記ID発行人から前記許可応答メッセージを受信するステップと、
前記許可応答メッセージを使用して、出力メッセージを生成するステップと、
前記第１のネットワークを通して前記プロバイダーへ前記出力メッセージを送信するステップと、を含む、
ことを特徴とするデジタルID確認方法。
【請求項８５】  デジタルID確認システムであって、
第１の品物の購入を含むトランザクションを実行する第１の従来の決済システム部と、
第１のサービスの購入を含むトランザクションを実行する第２の従来の決済システム部と、
前記第１および第２の従来の決済システムを使用して、デジタルID所有者の身分確認を実行する第３の従来の決済システム部と、を含み、
前記身分確認は、前記デジタルID所有者による何らかの品物の購入に関連せず、さらに、前記デジタルID所有者による何らかのサービスの購入にも関連しない、
ことを特徴とするデジタルID確認システム。
【請求項８６】  請求項８５に記載のデジタルID確認システムにおいて、
前記第３の従来の決済システム部は、
第１のネットワークを通して、前記ID所有者に関連し、かつ、選択されたゼロに相当する額に設定された支払い額フィールドを含む、第２の品物および第２のサービスのうちの１つのプロバイダーにより前記第１のネットワークへ送信された、識別データを受信する第４の従来の決済システム部と、
前記識別データを使用して、許可要求メッセージを生成する第５の従来の決済システム部と、
前記許可要求メッセージに基づき承認操作を実行し、かつ、許可応答メッセージを生成する承認部を含むようなID発行人へ、従来の決済ネットワークを通して、前記許可要求メッセージを送信する第６の従来の決済システム部と、
前記ID発行人から前記従来の決済ネットワークを通して許可応答メッセージを受信する第７の従来の決済システム部と、
前記許可応答メッセージを使用して出力メッセージを生成する第８の従来の決済システム部と、
前記第１のネットワークを通して前記プロバイダーへ前記出力メッセージを送信する第９の従来の決済システム部と、を含み、
前記ID発行人における前記承認部は、前記選択された額に相当する値を持つ決済トランザクションを許可するか否かを決定する決定部を含む、
ことを特徴とするデジタルID確認システム。